【事件の表示】
　特願２００８−７２３４９号「遊技機」拒絶査定不服審判事件〔平成２１年１０月８日出願公開、特開２００９−２２５８８９号〕について、次のとおり審決する。
【結　論】
　本件審判の請求は、成り立たない。
【理　由】
第１　手続の経緯
　本件に係る出願（以下「本願」という。）は、平成２０年３月１９日の出願であって、平成２３年８月５日付けで拒絶査定がなされ（発送日：同年８月９日）、これに対し、同年１１月９日に拒絶査定不服審判の請求がなされ、その審判の請求と同時に手続補正がなされたものである。
　
第２　平成２３年１１月９日付け手続補正についての補正却下の決定
［補正却下の決定の結論］
　平成２３年１１月９日付け手続補正（以下「本件補正」という。）を却下する。
　
［理由］
　１　本件補正発明
　本件補正は、特許請求の範囲の請求項１について、本件補正前の請求項５に「大当たり用を含む図柄を回転表示自在な複数のリールと、前記リールの前面に重ねて配置され、前記リールと同様な大当たり用を含む図柄を複数の前記リールの部分に変動表示可能な液晶表示部と、前記リールおよび前記液晶表示部を用いた演出を行う演出制御基板とを備えた遊技機であって、前記演出制御基板は、主制御基板から出力されるコマンドを受信する受信手段と、前記受信手段により受信されたコマンドのうち、特定のリーチコマンドを検出する検出手段と、前記検出手段によって前記特定のリーチコマンドが検出された場合に、前記リールに表示される図柄と、前記液晶表示部に表示される図柄とを用いた連動リーチ演出を行う連動制御手段と、を備え、前記連動制御手段は、前記連動リーチ演出時に、複数の図柄が揃った特定のリーチラインを、前記リールと、前記液晶表示部の図柄表示により形成することを特徴とする遊技機。」とあったものを「大当たり用を含む図柄を回転表示自在な複数のリールと、前記リールの前面に重ねて配置され、前記リールと同様な大当たり用を含む図柄を複数の前記リールの部分に変動表示可能な液晶表示部と、前記リールおよび前記液晶表示部を用いた演出を行う演出制御基板とを備えた遊技機であって、前記演出制御基板は、主制御基板から出力されるコマンドを受信する受信手段と、前記受信手段により受信されたコマンドのうち、特定のリーチコマンドを検出する検出手段と、前記検出手段によって前記特定のリーチコマンドが検出された場合に、前記リールに表示される図柄と、前記液晶表示部に表示される図柄とを用いた連動リーチ演出を行う連動制御手段と、を備え、前記液晶表示部は、光を透過あるいは遮断自在な液晶シャッターを液晶表示面の背部に備えており、前記連動制御手段は、前記連動リーチ演出時に、複数の図柄が揃った特定のリーチラインを、前記リールと、前記液晶表示部の図柄表示により形成し、前記連動リーチ演出時において前記液晶表示部に大当たりの図柄を表示させる期間は、前記特定のリーチラインのうち前記液晶表示部が形成する前記大当たりの一つの図柄部分の光を前記液晶シャッターにより遮断させ、背部のリールの図柄を隠すことを特徴とする遊技機。」と補正するものである。
　上記補正について検討する。
　本件補正後の特許請求の範囲の請求項１に記載された発明は、液晶表示部について、「光を透過あるいは遮断自在な液晶シャッターを液晶表示面の背部に備えて」いると限定し、連動リーチ演出について、「連動リーチ演出時において前記液晶表示部に大当たりの図柄を表示させる期間は、前記特定のリーチラインのうち前記液晶表示部が形成する前記大当たりの一つの図柄部分の光を前記液晶シャッターにより遮断させ、背部のリールの図柄を隠すこと」と限定することを含むものであり、かつ、本件補正前の特許請求の範囲の請求項５に記載された発明と本件補正後の特許請求の範囲の請求項１に記載される発明の産業上の利用分野及び解決しようとする課題が同一であるので、本件補正は、平成２３年法律第６３号改正附則第２条第１８項によりなお従前の例によるとされる同法による改正前の特許法（以下「改正前特許法」という。）特許法第１７条の２第５項第２号に掲げる特許請求の範囲の減縮を目的とするものに該当する。
　そこで、本件補正後の特許請求の範囲の請求項１に記載された発明（以下「本件補正発明」という。）が特許出願の際独立して特許を受けることができるものであるか（改正前特許法第１７条の２第６項において準用する同法第１２６条第５項の規定に適合するか）否かについて検討する。
　
　２　刊行物に記載された発明
　（１）原査定の拒絶理由において提示された、本願の出願前に頒布された刊行物である特開２００４−３４４５２０号公報（以下「刊行物１」という。）には、図面と共に次の事項が記載されている。
　　ア　「【発明の属する技術分野】
　本発明は、遊技者が所定の遊技を行うことが可能であり、各々を識別可能な複数種類の識別情報を可変表示可能な可変表示手段を備え、識別情報の表示結果が特定の表示結果になったときに遊技者にとって有利な遊技状態である特定遊技状態に制御可能なパチンコ遊技機やスロットマシン等の遊技機に関する。」（下線は当審にて付与。以下同様。段落【0001】） 
　　イ　「そこで、本発明は、前面側に画像を表示するための表示範囲を大型化することにより視覚効果および演出効果を向上させることができるとともに、表示範囲に透明部分と非透明部分を設けることにより不必要な部位（例えば機械内部）を隠すことができ、さらに
表示範囲の透明部分と非透明部分を用いて様々な演出態様を実現することができる遊技機を提供することを目的とする
　　ウ　「回転ドラムユニット２３１〜２３３は、それぞれ、
表面に複数の図柄
が付された円筒状の回転ドラム２３５〜２３７
　　エ　「さらに、各回転ドラムユニット２３１〜２３３には、それぞれ、内側から回転ドラム２３５〜２３７の表面を照明するドラム用バックライト２５０が各回転ドラム２３５〜２３７の内部に設けられている（図４参照）。ドラム用バックライト２５０は、図４に示すように前面側に光を照射する。回転ドラム２３５〜２３７の表面は、光を完全に遮断するのではなく、光の一部を透過させる（なお、光を全て透過させるわけではないので、回転ドラムの表面は透明ではない）。従って、ドラム用バックライト２５０からの光の一部は、回転ドラム２３５〜２３７の表面を透過して前面側に導かれる。」（段落【0042】）
　　オ　「図４に示すように、液晶表示装置１２は多層パネルから構成されている。多層パネルは、前面側から保護ガラス３０１、液晶パネル３１０、ホログラム３０４、導光板３０５および反射フィルム３０６を備えた多層構造となっている。保護ガラス３０１は、光を透過させる透明な強化ガラスであって、裏面側の液晶パネル３１０を保護する役割を果たす。液晶パネル３１０は、２枚のガラス基板３０３Ａ，３０３Ｂの内側に液晶３０２が挟まれた構造となっている。液晶３０２は、液晶を高分子（ポリマー）中に微小粒として分散させた高分子分散型液晶（ＰＤＬＣ：Ｐｏｌｙｍｅｒ  Ｄｉｓｐｅｒｓｅｄ  Ｌｉｑｕｉｄ  Ｃｒｙｓｔａｌ）である。高分子分散型液晶は、光散乱効果をディスプレイ装置に利用するものである。すなわち、高分子・液晶の複合体に電圧を加えて液晶分子の配列方向を電界の方向にそろえ、高分子と液晶の屈折率のマッチングによる効果を利用して白濁・透明の切替を行うものである。このような高分子分散型液晶を用いれば、配向膜も偏光板も不要となる。図４には示していないが、ガラス基板３０３Ａ，３０３Ｂの内面には、液晶３０２に電圧を印加する透明電極が配されている。透明電極の電極パターンはマトリクス状となっている。」（段落【0045】）
　　カ　「液晶３０２は、上述したように、高分子分散型液晶であって、透明電極により電圧が印加されているとき（オン状態のとき）は透明で、電圧が印加されていないとき（オフ状態のとき）は白濁である。従って、透明にしたい表示画面の透明部分内の画素をオン状態にし、画像を表示したい表示画面の透明部分内の画素を画像信号に応じてオフ状態にする。オフ状態の画素では、回折光の入射方向に関係なく光を前方に散乱する。オフ状態の画素で前方散乱された光が遊技者の眼に入ることにより遊技者にはオフ状態の画素のみ輝いて見える。一方、オン状態の画素では、ホログラム３０４からの回折光が斜め上方向に入射されるので、その回折光は遊技者の眼に入らない。また、外光（ドラム側からの光）は、導光板３０５およびホログラム３０４を透過し、さらに液晶３０２におけるオン状態の画素を透過するので、遊技者の眼に入る。よって、オン状態の画素において裏側（ドラム側）が透けて見えることになる。
　このように、
液晶表示装置１２の表示画面における透明部分では、画像を表示することができる
液晶表示装置１２の表示画面における透明部分において
裏側の回転ドラム２３５〜２３７による図柄等の表示と重畳させて画像を表示することができる
　　キ　「この実施の形態では、
図柄制御基板８０
が
液晶表示装置１２および回転ドラム
の制御を行う
　　ク　「
図柄制御基板８０には
表示制御用ＣＰＵ１０１
主基板３１の
表示制御コマンドを受信する
　　ケ　「また、
表示制御用ＣＰＵ１０１は、表示制御コマンドを受信する
受信した表示制御コマンドに応じたランプ制御コマンドをランプ制御基板３５に送信する
　　コ　「
図柄制御基板８０の表示制御手段は、主基板３１の遊技制御手段から上述した表示制御コマンドを受信する
スーパーリーチ（交互リーチ）の変動パターン
の表示制御コマンドを受信したら、以下のような変動態様
「交互リーチ」とは、表示画面の透明部分に表示される図柄の画像とドラムに付された図柄とにより、交互に、リーチ演出が行われるような変動態様である
　なお、液晶表示装置１２の表示画面の透明部分において、左ドラム２３５が図柄の移動表示を行う領域と重なる領域を左領域といい、中ドラム２３６が図柄の移動表示を行う領域と重なる領域を中領域といい、右ドラム２３７が図柄の移動表示を行う領域と重なる領域を右領域という。よって、遊技者は、透明部分の左領域を介して左ドラム２３５を視認し、透明部分の中領域を介して中ドラム２３６を視認し、透明部分の右領域を介して右ドラム２３７を視認することになる。・・・図３１（ｂ）に示すように、リーチ状態に発展した後に所定時間経過すると、表示画面の透明部分の左領域および右領域における液晶表示の「７」が１コマ（１段）下に下がる。従って、中段の有効ライン（図１５に示す
有効ライン［２］
において液晶表示の「７」とドラム表示の「７」とが揃った状態になる
図柄が確定すると大当りとなる
　このような交互リーチ変動が実行されることにより、遊技者に大当りの発生の期待感を一層抱かせることができる。また、
表示画面の透明部分における図柄の液晶表示とドラムの表面における図柄のドラム表示とを共動させてリーチ演出を行うことができ
　なお、上述したように、交互リーチ変動においては、リーチ状態に発展したときに表示画面の透明部分において図柄の液晶表示を行うようにしていた。しかし、リーチ状態に発展する前に、ドラムの回転に伴う図柄の移動表示を行うとともに、
表示画面の透明部分において図柄の移動表示を行う
　また、左領域および右領域における
液晶表示と
ドラム表示との組合せにより交互にリーチ演出を実行していた
　また、液晶表示およびドラム表示は１コマずつ上から下に下がっていったが、下から上に上がっていってもよく、また下に下がったり上に上がったりしてもよい。また、液晶表示およびドラム表示は１コマだけ移動していたが、２コマ移動してもよく、また１回転または複数回転した後に図柄の停止位置が移動前の位置から１コマだけ移動するものであってもよい。
　また、
透明部分に図柄の画像が表示されている場合は、ドラムに付された図柄と透明部分における図柄の画像とが重畳して表示されることになるが
透明部分に図柄の画像を表示しているとき
画像が表示されている透明部分の領域に対応するドラムのバックライト
を消灯させる
前面側の透明部分に表示された画像が見やすくなる
　
　上記ア〜コの記載事項及び図面の図示内容を総合勘案すると、刊行物１には、次の発明が記載されていると認められる。
「表面に大当り図柄を含む複数の図柄が付された円筒状の３つの回転ドラム２３５〜２３７と、
　３つの回転ドラム２３５〜２３７の前面側に位置し、３つの回転ドラム２３５〜２３７による図柄等の表示と重畳させて、大当り図柄を含む図柄の画像を表示画面の透明部分に移動表示できる液晶表示装置１２と、
　液晶表示装置１２の表示画面の透明部分における図柄の液晶表示と３つの回転ドラム２３５〜２３７のドラム表面における図柄のドラム表示との組合せによりリーチ演出を行う図柄制御基板８０とを備えた遊技機であって、
　図柄制御基板８０の表示制御用ＣＰＵ１０１は、主基板３１からスーパーリーチ（交互リーチ）の変動パターンである表示制御コマンドを受信すると、液晶表示の図柄画像とリーチ表示の図柄とにより交互リーチ演出を実行し、
　表示制御用ＣＰＵ１０１による交互リーチ演出の実行により、有効ラインにおいて液晶表示装置１２の図柄の画像と３つの回転ドラム２３５〜２３７のドラム表示の図柄とを大当りとなる図柄が揃った状態にでき、
　交互リーチ変動において、透明部分に図柄の画像を表示している場合には、画像が表示されている透明部分の領域に対応するドラムのバックライト２５０を消灯させて前面側の透明部分に表示された画像を見やすくする遊技機。」
　
　（２）原査定の拒絶理由において提示された、本願の出願前に頒布された刊行物である特開２００４−２８３５４８号公報（以下「刊行物２」という。）には、図面と共に次の事項が記載されている。
　　ア　「本発明は、
遊技機
　　イ　「本発明は、上述した事情に鑑み提案されたもので、
趣向に富んだ面白みのある演出表示が可能な遊技機を提供する
　　ウ　「また、回転リール２ａ，２ｂ，２ｃの前方側には、液晶表示装置１６及び液晶シャッタ表示装置１１２を背面側から照明するとともに、回転リール２ａ，２ｂ，２ｃを表面側から照明するための前方照明装置１８ａ，１８ｂが上下にそれぞれ１個ずつ配設されている。この前方照明装置１８ａ，１８ｂとしては、例えば、蛍光灯、ランプ、ＬＥＤ等を用いることができる。なお、前方照明装置１８ａ，１８ｂを上下に一対設けるのではなく、上側あるいは下側だけに設けてもよい。
　〈液晶表示装置及び液晶シャッタ表示装置〉
  液晶表示装置１６、液晶シャッタ表示装置１１２は、それぞれ本実施形態において第２表示手段、第３表示手段として機能する部材である。
液晶表示装置１６及び液晶シャッタ表示装置１１２は、
回転リール２ａ，２ｂ，２ｃに対してパチスロ遊技機の前面側に位置するように重ねて配設されている。
　まず、図３及び図４を参照して、第２表示手段としての液晶表示装置１６を説明する。図３は、液晶表示装置１６を縦断面とした模式図、図４は液晶表示装置１６を正面から見た状態の模式図である。液晶表示装置１６は、図３に示すように、パチスロ遊技機の前方側から順に、液晶パネル１９、導光板２０、及び反射板２１が配設されており、導光板２０の上下には、蛍光灯、ランプ、ＬＥＤ等からなる光源２２ａ，２２ｂが配設されている。」（段落【0068】〜【0070】）
　　エ　「以上の構成を有することから、例えば、図７に示すように、第２表示手段としての
液晶表示装置１６
に特定の画像を表示する場合に
液晶シャッタ表示装置１１２をオンすることにより
バックライト１７ａ，１７ｂ，１７ｃ
からの光が遮蔽される
液晶表示装置１６の透過表示部２３ａ，２３ｂ，２３ｃを介して、
回転リール２ａ，２ｂ，２ｃの外周表面に描かれた図柄を視認できなくなる
　　オ　「なお、１つの表示遮蔽部を複数の透過表示部に対応する位置に設けても良い。例えば、第１表示手段を３つの回転リールにより構成し、該回転リールそれぞれに対応して３つの透過表示部を設け、該３つの透過表示部に対応した１つの表示遮蔽部を設けても良い。そして、該１つの表示遮蔽部のうちの特定の透過表示部に対応する領域が回転リールの表示を遮蔽する状態と、回転リールの表示を透過する状態と、のいずれかになるように、表示遮蔽部が変換制御可能にされるようにしてもよい。」（段落【0093】）
　
　上記ア〜オの記載事項及び図面の図示内容を総合勘案すると、刊行物２には、次の発明が記載されていると認められる。
「液晶表示装置１６及び液晶シャッタ表示装置１１２は、回転リール２ａ、２ｂ、２ｃに対してパチスロ遊技機の前面側に位置するように重ねて配設され、液晶表示装置１６に特定の画像を表示する場合に液晶シャッタ表示表示装置１１２をオンすることにより、バックライト１７ａ、１７ｂ、１７ｃからの光を遮蔽し、
　液晶表示装置１６の透過表示部２３ａ、２３ｂ、２３ｃを介して、回転リール２ａ、２ｂ、２ｃの外周表面に描かれた図柄を視認できなくする
　趣向に富んだ面白みのある演出表示が可能な遊技機。」
　
　３　対比
　本件補正発明と刊行物１に記載された発明とを対比する。
　刊行物１に記載された発明の「表面に大当り図柄を含む複数の図柄が付された円筒状の３つの回転ドラム２３５〜２３７」は、その構成及び機能からみて、本件補正発明の「大当たり用を含む図柄を回転表示自在な複数のリール」に相当し、以下同様に、
　「３つの回転ドラム２３５〜２３７の前面側に位置し、３つの回転ドラム２３５〜２３７による図柄等の表示と重畳させて、大当り図柄を含む図柄の画像を表示画面の透明部分に移動表示できる液晶表示装置１２」は、液晶表示装置１２の透明部分に、３つの回転ドラム２３５〜２３７の図柄等の表示を重畳して表示できるものであり、液晶表示装置１２は、３つの回転ドラム２３５〜２３７の前面側に重ねて配置され、かつ、３つの回転ドラム２３５〜２３７に対応する透明部分に画像図柄を移動表示できるものであるから、「リールの前面に重ねて配置され、リールと同様な大当たり用を含む図柄を複数のリールの部分に変動表示可能な液晶表示部」に、
　「液晶表示装置１２の表示画面の透明部分における図柄の液晶表示と３つの回転ドラム２３５〜２３７のドラム表面における図柄のドラム表示との組合せによりリーチ演出を行う図柄制御基板８０」を備えた「遊技機」は、「リールおよび液晶表示部を用いた演出を行う演出制御基板」を備えた「遊技機」に、
　「図柄制御基板８０の表示制御用ＣＰＵ１０１は、主基板３１からスーパーリーチ（交互リーチ）の変動パターンである表示制御コマンドを受信すると、液晶表示の図柄画像とリーチ表示の図柄とにより交互リーチ演出を実行」することは、表示制御用ＣＰＵ１０１が、受信した表示制御コマンドから、スーパーリーチ（交互リーチ）の変動パターンである表示制御コマンドを検出する検出手段としての機能を有することは明らかであるから、「演出制御基板は、主制御基板から出力されるコマンドを受信する受信手段と、受信手段により受信されたコマンドのうち、特定のリーチコマンドを検出する検出手段と、検出手段によって特定のリーチコマンドが検出された場合に、リールに表示される図柄と、液晶表示部に表示される図柄とを用いた連動リーチ演出を行う連動制御手段」に、
それぞれ相当する。
　そして、刊行物１に記載された発明の「表示制御用ＣＰＵ１０１による交互リーチ演出の実行により、有効ラインにおいて液晶表示装置１２の図柄の画像と３つの回転ドラム２３５〜２３７のドラム表示の図柄とを大当りとなる図柄が揃った状態に」することと、本件補正発明の「連動制御手段は、連動リーチ演出時に、複数の図柄が揃った特定のリーチラインを、リールと、液晶表示部の図柄表示により形成」することとは、「連動制御手段は、連動リーチ演出時に、複数の図柄が揃った特定のリーチラインを形成」することで共通し、同様に、
　刊行物１に記載された発明の「交互リーチ変動において、透明部分に図柄の画像を表示している場合には、画像が表示されている透明部分の領域に対応するドラムのバックライト２５０を消灯させて前面側の透明部分に表示された画像を見やすくする」ことと、本件補正発明の「連動リーチ演出時において液晶表示部に大当たりの図柄を表示させる期間は、特定のリーチラインのうち液晶表示部が形成する大当たりの一つの図柄部分の光を液晶シャッターにより遮断させ、背部のリールの図柄を隠す」こととは、前者において、交互リーチ変動においては、大当りとなる図柄表示も行うものであるから、両者は、「連動リーチ演出時において液晶表示部に大当たりの図柄を表示させる期間は、特定のリーチラインのうち液晶表示部が形成する大当たりの図柄部分の光を暗くし、背部のリールの図柄を見えにくくする」ことで共通する。
　
　したがって、両者の一致点および相違点は、次のとおりである。
［一致点］
「大当たり用を含む図柄を回転表示自在な複数のリールと、前記リールの前面に重ねて配置され、前記リールと同様な大当たり用を含む図柄を複数の前記リールの部分に変動表示可能な液晶表示部と、前記リールおよび前記液晶表示部を用いた演出を行う演出制御基板とを備えた遊技機であって、前記演出制御基板は、主制御基板から出力されるコマンドを受信する受信手段と、前記受信手段により受信されたコマンドのうち、特定のリーチコマンドを検出する検出手段と、前記検出手段によって前記特定のリーチコマンドが検出された場合に、前記リールに表示される図柄と、前記液晶表示部に表示される図柄とを用いた連動リーチ演出を行う連動制御手段と、を備え、
　前記連動制御手段は、連動リーチ演出時に、複数の図柄が揃った特定のリーチラインを形成し、
　前記連動リーチ演出時において前記液晶表示部に大当たりの図柄を表示させる期間は、前記特定のリーチラインのうち前記液晶表示部が形成する前記大当たりの図柄部分の光を暗くし、背部のリールの図柄を見えにくくする遊技機。」
　
［相違点１］
　本件補正発明では、光を透過あるいは遮断自在な液晶シャッターを液晶表示部の液晶表示面背部に具備するのに対して、刊行物１に記載された発明では、当該液晶シャッターを具備しない点。
　
［相違点２］
　リーチラインが、本件補正発明では、リールと液晶表示部の図柄表示とにより形成されるのに対して、刊行物１に記載された発明では、液晶表示装置１２の図柄の画像と３つの回転ドラム２３５〜２３７のドラム表示の図柄とにより形成される点。
　
［相違点３］
　連動リーチ演出時における、特定のリーチラインのうち液晶表示部が形成する大当たりの図柄部分の光を、本件補正発明では、液晶シャッターにより遮断させ、背部のリールの図柄を隠すが、刊行物１に記載された発明では、バックライト２５０を消灯させて前面側の透明部分に表示された画像を見やすくする点。
　
　４　当審の判断
（１）相違点１及び３について
　本件補正発明と刊行物２に記載された発明とを対比する。
　刊行物２に記載された発明の「液晶表示装置１６」は、その構成及び機能からみて、本件補正発明の「液晶表示部」に相当し、以下同様に、
　「液晶表示装置１６及び液晶シャッタ表示装置１１２は、回転リール２ａ、２ｂ、２ｃに対してパチスロ遊技機の前面側に位置するように重ねて配設され」ることは、液晶シャッタ表示装置１１２が、オンされたとき、液晶表示装置１６に特定の画像を表示するが、回転リール２ａ、２ｂ、２ｃの外周表面に描かれた図柄を視認できなくする機能を有するものであり、液晶表示装置１６と回転リール２ａ、２ｂ、２ｃとの間に存在するといえることから、「光を透過あるいは遮断自在な液晶シャッターを液晶表示面の背部に備え」ることに、
　「液晶表示装置１６の透過表示部２３ａ、２３ｂ、２３ｃを介して、回転リール２ａ、２ｂ、２ｃの外周表面に描かれた図柄を視認できなく」することは「背部のリールの図柄を隠す」ことに、
　それぞれ相当する。
　そして、刊行物２に記載された発明の「液晶表示装置１６に特定の画像を表示する場合」と、本件補正発明の「連動リーチ演出時において液晶表示部に大当たりの図柄を表示させる期間」とは、「液晶表示部に表示させるとき」で共通し、同様に、
　刊行物２に記載された発明の「液晶表示装置１６に特定の画像を表示する場合に液晶シャッタ表示表示装置１１２をオンすることにより、バックライト１７ａ、１７ｂ、１７ｃからの光を遮蔽」することと、本件補正発明の「特定のリーチラインのうち液晶表示部が形成する大当たりの一つの図柄部分の光を液晶シャッターにより遮断させ」ることとは、「液晶表示部が形成する表示部の光を液晶シャッターにより遮断させ」ることで共通する。
　したがって、刊行物２に記載された発明は、「液晶表示部を備え、光を透過あるいは遮断自在な液晶シャッターを液晶表示面の背部に備え、液晶表示部に表示させるとき、液晶表示部が形成する表示部の光を液晶シャッターにより遮断させ、背部のリールの図柄を隠す遊技機。」と言い換えることができる。
　そして、刊行物１に記載された発明と刊行物２に記載された発明とは、遊技機という共通の技術分野に蔵する発明であり、かつ、様々な演出表示を可能とするという共通の課題を解決するものである。
　また、遊技機の技術分野において、液晶表示部が形成する表示領域の光を液晶シャッターにより遮断させ、背部のリール図柄を隠すことは本願出願前に周知の技術事項である（例えば、前置報告時に提示された特開平４−２２０２７６号公報の段落【0008】には、「制御部は、液晶シャッターたる表示窓１０を透明とするか不透明とするかについて各回転リールの各絵柄毎に制御できる」ことが記載され、特開平４−２２０２７５号公報の段落【0019】には、「液晶絵柄表示器２０ａ，２０ｂ，２０ｃの前面の正面１１ａには、液晶前面表示器４０が設けられている。液晶前面表示器４０は、各絵柄２４の前面に配置され、液晶ガラスを用い、通常は透光状態であるが、通電により部分的に遮光状態に変化して表示を行うようになっている。」ことが記載されている。以下「周知の技術事項１」という。）。
　
　してみると、刊行物１に記載された発明に刊行物２に記載された発明を適用するとともに、上記周知の技術事項１を考慮して、液晶表示装置１２の背部に液晶シャッターを具備させ、かつ、有効ラインのうち液晶表示装置１２が形成する大当たりの一つの図柄部分の光を液晶シャッターにより遮断させ、背部の回転ドラムの図柄を隠すことは、当業者が容易になし得たものである。
　
　（２）上記相違点２について
　遊技機の技術分野において、リーチラインを１つの図柄単位に対応するように分割されたリールにより形成することは、本願出願前に周知の技術事項である（例えば、特開２００７−２１５６８３号公報の段落【0270】、【図28】に示された当選ラインＦ１〜Ｆ８を小リールＥ１〜Ｅ９により構成する点や、特開２００７−１８５３０３号公報の段落【0291】、【図30】に示された当選ラインＦ１〜Ｆ８を小リールＥ１〜Ｅ９により構成する点を参照。以下「周知の技術事項２」という。）。
　そうすると、刊行物１に記載された発明に上記周知の技術事項２を適用して、単に３つの回転ドラム２３５〜２３７のそれぞれを、１つの図柄単位に対応するように分割されたリールにより構成し、有効ラインを液晶表示装置１２の図柄の画像と分割されたリールとにより形成することは当業者が容易なし得たものである。
　
　（３）小括
　本件補正発明の奏する効果は、刊行物１〜２に記載された発明及び周知の技術事項から当業者が予測できた効果の範囲内のものである。
　したがって、本件補正発明は、刊行物１〜２に記載された発明及び周知の技術事項に基づいて当業者が容易に発明をすることができたものであるから、特許法第２９条第２項の規定により、特許出願の際独立して特許を受けることができないものである。
　
５　まとめ
　以上のとおりであるから、本件補正は、改正前特許法第１７条の２第６項において準用する同法第１２６条第５項の規定に違反するので、同法第１５９条第１項において読み替えて準用する同法第５３条第１項の規定により却下すべきものである。
　
第３　本願発明について
　１　本願発明
　平成２３年１１月９日付け手続補正は上記のとおり却下されたので、本願の請求項５に係る発明（以下「本願発明」という。）は、平成２３年２月１５日付け手続補正書の特許請求の範囲の請求項５に記載された事項により特定される次のとおりのものである。
 「大当たり用を含む図柄を回転表示自在な複数のリールと、前記リールの前面に重ねて配置され、前記リールと同様な大当たり用を含む図柄を複数の前記リールの部分に変動表示可能な液晶表示部と、前記リールおよび前記液晶表示部を用いた演出を行う演出制御基板とを備えた遊技機であって、前記演出制御基板は、主制御基板から出力されるコマンドを受信する受信手段と、前記受信手段により受信されたコマンドのうち、特定のリーチコマンドを検出する検出手段と、前記検出手段によって前記特定のリーチコマンドが検出された場合に、前記リールに表示される図柄と、前記液晶表示部に表示される図柄とを用いた連動リーチ演出を行う連動制御手段と、を備え、前記連動制御手段は、前記連動リーチ演出時に、複数の図柄が揃った特定のリーチラインを、前記リールと、前記液晶表示部の図柄表示により形成することを特徴とする遊技機。」
　
　２　刊行物に記載された発明
　原査定の拒絶の理由に引用した刊行物１〜２、刊行物１〜２の記載事項及び刊行物に記載された発明は、前記「第２［理由］２　刊行物に記載された発明」に記載したとおりである。
　
　３　対比および判断
　本願発明は、前記「第２［理由］」において検討した本件補正発明において、液晶表示部、連動リーチ演出についての限定を省くものである。
　そうすると、実質的に本願発明の発明特定事項をすべて含み、さらに、他の発明特定事項を付加したものに相当する本件補正発明が、前記「第２　［理由］３　対比、及び、４　当審の判断」に記載したとおり、刊行物１〜２に記載された発明及び周知の技術事項に基いて当業者が容易に発明をすることができたものであるから、本願発明も同様に、刊行物１〜２に記載された発明及び周知の技術事項に基いて当業者が容易に発明をすることができたものである。
　
　４　むすび
　以上のとおりであるから、本願発明は、刊行物１〜２に記載された発明及び周知の技術事項に基いて当業者が容易に発明をすることができたものであり、特許法第２９条第２項の規定により特許を受けることができない。
　したがって、本願のその他の請求項に係る発明について検討するまでもなく、本願は拒絶すべきものである。
　よって、結論のとおり審決する。